(57)【特許請求の範囲】
【請求項１】
少なくとも本体外装前面の一部を形成する外装部材であってその内側の機器収容室を開放可能に構成された外装蓋部材と，前記機器収容室内の上方に設けられ，電装品が内蔵された電装ユニットと，前記電装品と電気的に接続され前記電装ユニットの外部の配線を接続可能な中継端子が設けられた端子台部材と，を具備する空気調和機の室外機であって，
前記端子台部材が，前記中継端子が前記電装ユニットの下方において前記外装蓋部材による前記本体外装の開放箇所に対向する状態で，前記機器収容室内に取り付け可能であり前記開放箇所を通じて取り外し可能であると共に，前記端子台部材が取り外されることで前記本体外装前面の前記開放箇所から前記機器収容室内の前記端子台部材の裏側の空間に設けられた配管，配線に対する作業が可能な空間が広くなることを特徴とする空気調和機の室外機。
【請求項２】
前記端子台部材が，前記機器収容室内における前記外装蓋部材の内側面に近接する位置に取り付け可能である請求項１に記載の空気調和機の室外機。
【請求項３】
前記端子台部材を前記機器収容室内の予め定められた取り付け位置に案内するガイド機構を具備してなる請求項１又は２のいずれかに記載の空気調和機の室外機。
【請求項４】
前記端子台部材が取り付けられた状態で前記中継端子が略水平方向に沿って複数配列されており，
前記端子台部材が，前記機器収容室内の上方に設けられた前記電装ユニットに対して所定の隙間を隔てた下側の位置に取り付けられるものである請求項１〜３のいずれかに記載の空気調和機の室外機。
【発明の詳細な説明】
【技術分野】
【０００１】
本発明は，空気調和機の室外機に関するものであり，生産時若しくは据え付け時などの作業が容易な空気調和機の室外機に関するものである。
【背景技術】
【０００２】
空気調和機は，室内において室内空気と熱交換を行う室内機と，室外において室外空気と熱交換を行う室外機とを有しており，前記室内機と前記室外機とで熱サイクル機関を構成して稼働する。
前記室外機は，通常その稼働前に例えば建造物の外壁近く等の位置に据え付けられるものである。その据え付けの際に，前記室外機の本体外装の外部から配線が内部へと引き込まれ，配線は該内部に設けられた端子板（中継端子）に接続される。同様に，外部の前記室内機から導かれた配管も前記本体筐体の内外に設けられたバルブに接続される。
尚，前記室内機と前記室外機とが一対一に対応するシングルセパレートエアコン型の空気調和機では，一組の配管及び一組の配線が前記室外機に導かれそれぞれ接続される一方，複数の前記室内機に一つの前記室外機が対応するマルチエアコン型の空気調和機では前記配管及び配線が複数組前記室外機に導かれるため，前記室外機内部の大部分を前記配管及び配線が占めることになる。
【０００３】
図１は，例えば特許文献１等に記載の，従来例に係るマルチエアコン型の空気調和機の室外機Ｂ（以下，単に室外機Ｂという）の斜視図である。以下，図１を参照しつつ，前記室外機Ｂについて概略説明する。
図１に示されるように，前記室外機Ｂは，それぞれ別体に設けられた筐体本体部材Ｙ１と左前面パネルＹ２との内部に様々な構成を有して概略構成される。つまり，前記筐体本体部材Ｙ１と前記左前面パネル部材Ｙ２とで総合して直方体状の筐体部材が形成され，その筐体部材の内部に様々な構成が配置される。
前記左前面パネル部材Ｙ２は，前記筐体部材のうち予め定められた一面（矢印Ｆで指される面）の左側から該一面の左方向の隣接面（矢印Ｌにより指される面，以下，左面Ｌ）の大部分に亘って形成されており，前記筐体本体部材Ｙ１とは独立して取り外し可能である（図２参照）。尚，前記筐体本体部材Ｙ１の一面側（矢印Ｆで指される面）の部材を右前面パネル部材１といい，それには例えば熱交換後の排気口２等が設けられる。また，前記左面Ｌには外部からの配管を接続する複数のバルブを支持するバルブ支持台８が通常設けられる。
【０００４】
図２は従来例に係る室外機Ｂの左前面パネル部材Ｙ２を取り外した状態における斜視図である。図２を参照しつつ，前記室外機Ｂの内部について説明する。
前記室外機Ｂの内部は，図２に示す如く隔壁３により前記左前面パネル部Ｙ２の奥部の空間（以下，機器収容室という）と前記右前面パネル部材１の奥部の空間（内部は不図示）とに区画がなされている。
前記機器収容室の上方には，制御回路を含む様々な回路（電装品の一例）が内蔵された電装箱４ｂ（電装ユニットの一例）が設けられる。また，前記電装箱４ｂの下方には，端子台部材５ｂが前記電装箱４ｂと一体的に設けられている。前記端子台部材５ｂは，その一面に前記室外機Ｂの外部から導かれた配線を接続可能な複数の端子板６（中継端子の一例）を有する。また，前記端子板６と前記電装箱４ｂ内部の回路との間には配線がなされており，つまり両者は電気的に接続されている。
尚，前記電装箱４ｂの表面には，誤配線チェックスイッチ，ポンプダウンスイッチ，表示基板及び配線（全て不図示）が設けられており，前記電装箱４ｂの表面に直接的に前記端子板６を設けるだけのスペースを確保することは困難である。そこで，前記電装箱４ｂから下方に突出するように前記端子台部材５ｂを形成することで，前記端子板６を設けるスペースを確保している。
また，前記端子台部材５ｂの下方の空間ＢＳには圧縮機７及び不図示の配管が設けられる。
一方，前記右前面パネル部材１の奥部の空間（排気口２の奥部の空間）には，室外熱交換器，ファン，それを駆動するモータ，前記電装箱４ｂと前記モータの端子とを電気的に接続する配線等（全て不図示）が設けられる。
【０００５】
ところで，前記筐体本体部材Ｙ１には，外部から配線を引き込むための不図示の引き込み口が形成される。
前記室外機Ｂの据え付け時には，外部からの配線を前記機器収容室（前記左前面パネル部材Ｙ２の奥部の空間）内へと取り込み，更にその配線の前記端子板６への取り付けを行う必要がある。その際には，前記左前面パネル部材Ｙ２を前記筐体本体部材Ｙ１より取り外した状態で（図２の状態で），その開放部から手を挿入することにより，それらの作業を行うことが可能である。
【特許文献１】特開２００３―２５４５６３号公報
【発明の開示】
【発明が解決しようとする課題】
【０００６】
しかしながら，上述の従来例の技術は以下のような問題点を有する。
まず，電装板４ｂは端子台部材５ｂを下方に突き出した形状に設けなければならない。ところが，このような複雑な形状の前記電装箱４ｂの製造には手間を要し，搬送時などの梱包作業が困難であるという問題点を有する。
また，前記電装板４ｂの下方に設けられた前記端子台部材５ｂの後方空間ＲＳにも様々な配線，配管がなされるのが通常である。そこで，室外機Ｂの製造時及びメンテナンス時（特に部品交換時等）には，前記電装箱４ｂが機器収容室内に取り付けられた状態において，前記後方空間ＲＳを占める配管，配線等に対する様々な作業を施さねばならない。しかし，前記後方空間ＲＳは前記電装箱４ｂと一体的に設けられた前記端子台部材５ｂの陰になっているため，そのような配管，配線に対する作業を施しにくいという問題がある。また，上述したようなマルチエアコン型の空気調和機では，前記後方空間ＲＳの下方の空間ＢＳにも圧縮機７及び配管，配線が設けられるため，前記下方の空間ＢＳから前記後方空間ＲＳに手を挿入して作業を行うことも不可能である。
そこで，前記後方空間ＲＳを占める配管，配線等に対する作業を可能とするべく，上述したように前記室外機Ｂの筐体部材のうち取り外し可能な前記左前面パネル部材Ｙ２（外装蓋部材）は，左面Ｌの大部分に亘って形成されている。即ち，前記左前面パネル部材Ｙ２を取り外した状態では，前記左面Ｌの大部分が開放されるので，その開放箇所より前記後方空間ＲＳに手を挿入し，配管，配線等に対する作業を行うことが可能である。
ところで，シングルセパレートエアコン型の空気調和機における室外機では，本体外装の内部になされる配管の量が少ないために，左面Ｌ等の側面の開放箇所が小さくても作業が十分可能である。つまり，シングルセパレートエアコン型の空気調和機では，左面Ｌ等の側面の開放箇所が小さく設けられている場合が殆どである。
このように，予め設けておかねばならない開放箇所の大きさの相違に起因して，マルチエアコン型での筐体部材の形状とシングルセパレートエアコン型での筐体部材の形状とは異なってしまう。従って，筐体部材を製造するための金型を，マルチエアコン型の空気調和機とシングルセパレート型の空気調和機とで共用にすることができず，金型投資の費用が増大してしまうという問題点もある。
従って，本発明は上記事情に鑑みてなされたものであり，その目的とするところは，電装箱及び端子板部材の形状を単純にすること，端子板部材の陰になる部分を占める配管，配線等に対して容易に作業を施すこと，マルチエアコン型とシングルセパレートエアコン型とで室外機の本体外装の部材を製造するため金型を共用にすることが可能な空気調和機の室外機を提供することにある。
【課題を解決するための手段】
【０００７】
上記目的を達成するために本発明は，本体外装部材（本体筐体）前面の一部であり内側の機器収容室が開放可能に設けられた外装蓋部材と，前記機器収容室内の上方に設けられ，電装品が内蔵された電装ユニットとを有する空気調和機の室外機であり，前記電装品と電気的に接続され且つ外部から導かれた配線を接続する中継端子が設けられた端子台部材の（中継端子が前記電装ユニットの下方において前記外装蓋部材による開放箇所に対向する状態での）取り付け及び（前記開放箇所からの）取り外しが可能であると共に，前記端子台部材が取り外されることで前記本体外装前面の前記開放箇所から前記機器収容室内の前記端子台部材の裏側の空間に設けられた配管，配線に対する作業が可能な空間が広くなる空気調和機の室外機として構成される。
前記端子台部材の裏側の空間（前記外装蓋部材が取り外されて開放された部分からは，前記端子台部材の陰になる空間）には通常様々な配管や配線がなされるものであり，前記電装ユニットを本体筐体に取り付けた状態でそれらの配管や配線に対して種々の作業を施す必要がある。上記構成によれば，前記電装ユニットとは独立して前記端子台部材を取り外すことが可能であり，その端子台部材を取り外すことで該端子台部材の裏側の空間に対する作業を容易に行うことが可能である。また，前記端子台部材及び前記電装ユニットとを別体かつ独立に設ければ良く，典型的には直方体形状の部材と板形状の部材等の単純な形状の部材を用いることが可能である。これらの部材はもちろん生産に手間がかからず，運搬時の梱包なども簡単である。
更に，マルチエアコン型の空気調和機における室外機であっても前記裏側の空間に対する作業のために，前記本体外装部材の側面の大部分を開放可能とした構成とする必要がないので，前記本体外装部材の側面の開放部が小さなシングルセパレートエアコン型の空気調和機における室外機と前記本体外装部材の製造に用いる金型を共用とすることが可能であり，金型投資の費用を抑えることが可能である。
【０００８】
ここで，前記端子台部材を前記機器収容室内における前記外装蓋部材の内側面に近接する位置に取り付けるものである場合，端子台部材の背面側に大きな被作業空間が形成されるので，本発明の真価が発揮されやすい。また，前記端子台部材の取り付けの際に，前記端子台部材を予め定められた取り付け位置に案内するガイドを有する場合には，取り付け位置及び手順の誤りが少なくなり好適である。
ところで，前記中継端子が前記端子台部材を取り付けた状態で略水平方向に沿って複数配列されたものである場合には，前記端子台部材の前記中継端子の取り付け側の面に対向するように配線を行うことは回避すべきである。そこで，上部に前記電装ユニットが設けられた場合には，前記端子台部材は所定の隙間を隔てた下側の位置に取り付ける構成とすれば，それらの隙間を通じて前記端子台部材の前記中継端子の取り付け側の面の背面に配線を迂回させることが可能である。
【発明の効果】
【０００９】
本発明によれば，電装ユニットとは独立して端子台部材を取り外すことが可能である。従って，その端子台部材を取り外すことで，前記端子台部材の裏側の空間に設けられた配管，配線に対する作業を容易に行うことが可能である。また，前記端子台部材及び前記電装ユニットとを独立して別体に設けることが可能であり，それぞれに単純な形状の部材を用いることが可能である。更に，マルチ型の空気調和機における室外機であっても前記裏側の空間に設けられた配管，配線などに作業を施すために前記本体外装部材の側面の大部分を開放可能な構成とする必要がないので，本体外装の側面の開放部が小さなシングルセパレートエアコン型の空気調和機における室外機と前記本体外装の製造に用いる金型を共用とすることが可能であり，金型投資の費用を抑えることが可能である。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は従来例に係る空気調和機の室外機の斜視図，図２は従来例に係る空気調和機の室外機の左前面パネル部材を取り外した状態における斜視図，図３は本発明の一実施形態に係る空気調和機の室外機の斜視図，図４は本発明の一実施形態に係る空気調和機の室外機の機器収容室の斜視図，図５は本発明の一実施形態に係る空気調和機の室外機の機器収容室の正面図，図６は本発明の一実施形態に係る空気調和機の室外機の有する電装箱に対する配線を説明する概念図，図７は本発明の一実施形態に係る空気調和機の室外機の有する端子台部材を取り付ける取り付け機構及び取り付け位置に導くガイド機構を説明する斜視図，図８は本発明の一実施例に係る空気調和機の室外機の有する端子台部材を取り付け位置に導くガイド機構の概略図である。
尚，従来例と同様の構成については同様の符号を付すものとする。
【００１１】
（１）本発明の一実施形態に係る空気調和機の概要について。
以下，図３乃至図５を参照しつつ，本発明の一実施形態に係る空気調和機の室外機Ａ（以下，単に室外機Ａという）について説明する。
当該室外機Ａは，複数の室内機（不図示）と一体の熱サイクル機関を構成する，つまりマルチエアコン型の空気調和機の室外機である。
図３に示されるように，前記室外機Ａは，それぞれ別体に設けられた筐体本体部材Ｘ１と左前面パネルＸ２との内部に様々な構成を有して概略構成される。つまり，前記筐体本体部材Ｘ１と前記左前面パネル部材Ｘ２とで総合して直方体状の筐体部材が形成され，その筐体部材の内部に様々な構成が配置される。
尚，前記左前面パネル部材Ｘ２（外装蓋部材の一例）は，前記筐体のうち予め定められた一面（矢印Ｆで指される面）の左半分及び該一面の左方向の隣接面（矢印Ｌにより指される面，以下，左面Ｌ）を僅かに占めるように形成されており，前記筐体本体部材Ｘ１とは独立して取り外し可能である。
図４及び図５に示す如く，当該室外機Ａの内部は隔壁３により区画されており，前記左前面パネル部材Ｘ２の奥部の空間は機器収容室として定められている。前記機器収容室における上方には制御回路を含む様々な回路（電装品の一例）が内蔵された電装箱４ａ（電装ユニットの一例）が設けられる。また，前記電装箱４ａの下方には，外部から引き込み口９を介して導かれた配線（電装ユニット外部の配線）を接続可能な複数の端子板６（中継端子の一例）を有する端子台部材５ａが設けられている。前記端子台部材５ａは前記電装箱４ａ中の回路（電装品の一例）と配線されている（つまり，電気的に接続されている）。
従来例では，端子台部材５ｂと電装箱４ｂとは一体的に設けられていたが，当該室外機Ａでは，前記端子台部材５ａと前記電装箱４ａとは独立かつ別体に設けられており，その点を特徴とするものである。詳しくは，前記左前面パネル部材Ｘ２が取り外された場合の開放箇所に（前記左前面パネル部材Ｘ２の内側面に）前記端子板６が近接対向する状態で，前記機器収容室内に配置され取り付けられる。また，前記端子台部材５ａは前記開放箇所より取り外しが可能である。
取り付け及び取り外しのための機構については後述する。
【００１２】
（２）電装箱に対する配線について。
前記室外機Ａを熱サイクル機関の一部として駆動する為には，前記電装箱４ａに内蔵された回路と外部からの配線を接続する端子板６との間に配線を行う必要がある。同様に，前記機器収容室には，図４及び図５に示されるように，圧縮機７，膨張弁１０，四方弁駆動用コイル１１，電解コンデンサ１２等が設けられ，それらと前記電装箱４ａに内蔵された回路との間にもやはり配線を行う必要がある。
そこで，前記電装箱４ａには，前記端子板６，前記圧縮機７，前記膨張弁１０，前記四方弁駆動用コイル１１，前記電解コンデンサ１２等からの配線を取り込むための切り欠き１３が設けられている。該切り欠き１３を介してそれらの配線が前記電装箱４ａに取り込まれ，内部の回路若しくは端子等と接続される。
また，前記端子台部材５ａにも切り欠き１４が設けられている。つまり，端子台部材５ａは前記電装箱４ａと所定の隙間を隔てた下側の位置に取り付けられる。前記切り欠き１４が所定の隙間の一例である。
図６に示されるように，上述の配線のうち，前記機器収容室の下方から前記電装箱４ａ（前記機器収容室の上方）へと導かれる配線Ｌ１は，前記端子台部材５ａの裏側から前記切り欠き１４を介して前記端子台部材５ａの表面へと導かれ，更に前記切り欠き１３を介して前記電装箱４ａの内部へと導かれて接続される。
図４及び図５に示される如く，前記端子台部材５ａ上に前記端子板６が略水平方向に沿って複数配列されている状態では，前記端子台部材５ａの表面（端子板６が設けられた側の面）側に配線を通すことは望ましくないが，前記切り欠き１４を設けておくことにより，前記配線Ｌ１を前記端子台部材５ａの裏側へとバイパスさせることが可能である。
【００１３】
（３）端子台部材の取り付け及び取り外しのための機構について。
図７は前記室外機Ａの有する端子台部材５ａを前記機器収容室内に取り付ける取り付け機構及び取り付け位置に導くガイド機構を説明する斜視図である。以下，図７を参照しつつ，端子台部材５ａを前記機器収容室内へと取り付ける取り付け構造及びガイド機構について説明する。
前記端子台部材５ａの左側端部には，端子板６が設けられていない面側への曲げ部１５Ａが形成されている。また，該曲げ部１５Ａには板金による爪１６が設けられている。
一方，前記筐体本体部材Ｘ１の左面Ｌの内側には，前記端子台部材５ａを前記開放箇所から所定の取り付け位置へと案内するための，板金による上ガイド部１７ａ及び下ガイド部１７ｂが設けられている。前記上ガイド部１７ａ及び下ガイド部１７ｂで前記曲げ部１５Ａを上辺と下辺とから挟み込んだ状態で，前記端子台部材５ａを図７の矢印αの方向へと摺動させることにより，前記端子台部材５ａは前記取り付け位置へと案内される。また，前記端子台部材５ａの摺動に伴って，前記爪１６が前記筐体本体部材Ｘ１の左面Ｌの端部１８に嵌合する箇所で前記端子台部材５ａが位置決めされる（取り付け位置が決定される）。
【００１４】
また，前記端子台部材５ａの右側には，前方（端子板６が設けられている面側）への曲げ部１５Ｂが形成されている。また，該曲げ部１５Ｂの先端は更に折り曲げられて鍔部１５Ｃが形成されている。前記爪１６が前記端部１８に嵌合する状態，つまり前記端子台部材５ａが取り付け位置に案内され位置決めされた状態では，前記鍔部１５Ｃは前記室外機Ａの内部を区画する隔壁３に近接対向した状態になる。
尚，前記鍔部１５Ｃには２つの孔部１９が，前記隔壁３には２つの螺孔２０がそれぞれ設けられており，前記端子台部材５ａが取り付け位置に案内され位置決めされた状態では，前記孔部１９各々と前記螺孔２０各々は対向する状態になる。この状態において，前記左前面パネル部材Ｘ２が取り外された場合の開放箇所から，前記孔部１９各々を貫通させつつ不図示の螺子部材を前記螺孔２０に螺着させることが可能である。これにより，前記端子台部材５ａの曲げ部１５Ｂ側は，前記隔壁３に対して固定される。
以上のように，前記端子台部材５ａは前記筐体本体部材Ｘ１に対して前記機器収容室内で固定される。また，前記螺孔２０に螺着された螺子部材を取り外すことにより，前記端子台部材５ａを開放箇所を通じて簡単に取り外すことができる。
このように，前記端子台部材５ａのみを前記電装箱４ａとは独立して取り外すことが可能な構成とすることにより，前記端子台部材５ａの裏側の空間に設けられた配管，配線等に対する作業を容易に行い得る。また，前記室外機Ａの左面Ｌの大部分を開放可能とする必要がなく，シングルセパレートエアコン型の空気調和機の室外機の外装部材を製造するための金型を，前記室外機Ａの筐体部材を製造するのに転用することが可能である。
【実施例】
【００１５】
上述の実施形態では，端子台部材５ａを取り付け位置へと案内するガイド部，即ち上ガイド部１７ａ及び下ガイド部１７ｂが，前記筐体本体部材Ｘ１に設けられている例について開示したが，これに限られるものではない。例えば，電装箱４ａは通常機器収容室内で固定されるものであるため，前記電装箱４ａにガイド部が設けられたものであってもよい。
図８は，前記電装箱４ａにガイド部を設ける場合のガイド部の形状を，前記左前面パネル部材Ｘ２の方向，つまり本体筐体のうち開放可能部分の方向から示した図である。図８に示されるように，前記電装箱４ａの下方に断面直線状のガイド部２１ａ及び断面Ｌ字状のガイド部２１ｂを設けておく。また，前記端子台部材５ａの曲げ部１５Ａには鍔部２２を設けておく。前記ガイド部２１ａと前記ガイド部２１ｂとの間に前記鍔部２２が挟まれた状態で，前記端子台部材５ａを図８の奥行き方向へとスライドさせることにより，前記端子台部材５ａを取り付け位置へと案内することが可能である。
【図面の簡単な説明】
【００１６】
【図１】従来例に係る空気調和機の室外機の斜視図。
【図２】従来例に係る空気調和機の室外機の左前面パネル部材を取り外した状態における斜視図。
【図３】本発明の一実施形態に係る空気調和機の室外機の斜視図。
【図４】本発明の一実施形態に係る空気調和機の室外機の機器収容室の斜視図。
【図５】本発明の一実施形態に係る空気調和機の室外機の機器収容室の正面図。
【図６】本発明の一実施形態に係る空気調和機の室外機の有する電装箱に対する配線を説明する概念図。
【図７】本発明の一実施形態に係る空気調和機の室外機の有する端子台部材を取り付ける取り付け機構及び取り付け位置に導くガイド機構を説明する斜視図。
【図８】本発明の一実施例に係る空気調和機の室外機の有する端子台部材を取り付け位置に導くガイド機構の概略図。
【符号の説明】
【００１７】
Ａ…本発明の一実施形態に係るマルチエアコン型の空気調和機の室外機
Ｂ…従来例に係るマルチエアコン型の空気調和機の室外機
１…右前面パネル部材
２…排気口
３…隔壁
４…電装箱
５…端子台部材
６…端子板
７… 圧縮機
８…バルブ支持台
９…配線の引き込み口
１０…膨張弁
１１…四方弁駆動用コイル
１２…電解コンデンサ
１３…切り欠き
１４…切り欠き
１５…曲げ部，鍔部
１６…爪
１７…上ガイド部，下ガイド部
１８…端部
１９…孔部
２０…螺孔
２１…ガイド部
２２…鍔部
【図１】
0004684796.tif 000002
【図２】
0004684796.tif 000003
【図３】
0004684796.tif 000004
【図４】
0004684796.tif 000005
【図５】
0004684796.tif 000006
【図６】
0004684796.tif 000007
【図７】
0004684796.tif 000008
【図８】
0004684796.tif 000009